(57)【特許請求の範囲】
【請求項１】
複数の保持孔が形成されたクロスバーと、
先端に可動接点が設けられた可動接触子と、
前記可動接触子の両側面から突出する軸ピンと、
前記軸ピンに巻き付けられる捲回バネとからなり、
前記軸ピンと前記捲回バネを組み付けた前記可動接触子を前記クロスバーに取り付ける回路遮断器のクロスバーと可動接触子の取付構造において、
前記クロスバーの前記保持孔の両側面には前記軸ピンを前記クロスバーの軸受部までガイドさせる導入スロープを形成し、
前記導入スロープに、段部を形成したことを特徴とする回路遮断器のクロスバーと可動接触子の取付構造。
【請求項２】
前記導入スロープの入口に位置決部を形成したことを特徴とする請求項１記載の回路遮断器のクロスバーと可動接触子の取付構造。
【発明の詳細な説明】
【技術分野】
【０００１】
本発明は、回路遮断器の可動接触子のクロスバーへの取付構造に関するものである。
【背景技術】
【０００２】
特許文献１に示されるように、複数極用の回路遮断器は、複数極の固定接触子、この固定接触子と離接可能に取り付けられた複数の可動接触子、及び、過電流が流れた場合に可動接触子を固定接触子から引き剥がすトリップ機構、前記複数の固定接触子と可動接触子の電路のオンオフ切替ができるハンドルを有している。この回路遮断器は、過電流が流れた場合には、トリップ機構が作動して、可動接触子の接点が固定接触子の接点から引き剥がされて、可動接触子と固定接触子間の電路が遮断されるとともに、前記ハンドルがトリップ位置に位置され、ハンドルをＯＦＦ位置に操作させないとハンドル操作を出来ないようになっている。このような回路遮断器は、図５に示されるように、複数の可動接触子５２が単一のクロスバー５１に取り付けられ、このクロスバー５１が回路遮断器の筐体に回動可能に取り付けられている構造が一般的であり、トリップ機構が作動した場合には、複数の可動接触子５２の可動接点５３が同時に固定接触子の固定接点から引き剥がされるようになっている。
【０００３】
可動接触子５２をクロスバー５１に組み付けるには、図６に示されるように、クロスバー５１に複数並列して形成された保持孔５１ａに軸ピン５５及び捲回バネ５４が取り付けられた可動接触子５２を挿入して保持させることにより行われる。以下に、従来の可動接触子５２とクロスバー５１の構造及び取付方法について説明する。なお、図７及び図８において、図面右側を保持孔５１ａの挿入側とし、図面左側を保持孔５１ａの出口側とする。図６、図７の（Ａ）、図８の（Ａ）に示されるように、保持孔５１ａの両側面には、保持凹部５１ｂが凹陥形成されている。保持凹部５１ｂは、円形状に凹陥した軸受部５１ｃと、軸受部５１ｃから挿入側に拡開して開放した導入部５１ｄとから構成されている。図７に示されるように、導入部５１ｄの下端縁は、保持孔５１ａの挿入側に向かって徐々に下側に位置する導入スロープ５１ｅとなっている。
【０００４】
可動接触子５２の先端には、可動接点５３が設けられている。可動接触子５２の基部には、軸ピン５５が取り付けられ、可動接触子５２の両側面から軸ピン５５が突出している。軸ピン５５には、捲回バネ５４が巻き掛けられている。捲回バネ５４の一端側は、軸ピン５５から可動接点５３側に延出し、その先端が下側に屈曲されている当接部５４ａとなっている。捲回バネ５４の他端側は、軸ピン５５から可動接触子５２の基端側に延出する固定部５４ｂとなっていて、この固定部５４ｂが可動接触子５２の基部に引っ掛けられて固定されている。
【０００５】
可動接触子５２をクロスバー５１に取り付けるには、まず、図７の（Ｂ）に示されるように、保持孔５１ａの挿入側から可動接触子５２の先端を挿入させて、可動接触子５２の先端を保持孔５１ａの出口側から突出させ、軸ピン５５を導入部５１ｄに導入させる。この状態では、図８の（Ｂ）に示されるように、当接部５４ａは保持孔５１ａの天井面５１ｆと当接し、捲回バネ５４の付勢力により軸ピン５５が導入スロープ５１ｅに押し付けられている。この状態では、可動接触子５２の出口側方向への更なる移動が阻害される。このため、可動接触子５２をクロスバー５１に取り付けるには、捲回バネ５４の当接部５４ａを可動接触子５２の閉方向に変形させつつ、その後、可動接触子５２のみを出口側方向への移動させる必要がある（図７の（Ｃ）の状態）。そして、図８の（Ｄ）に示されるように、当接部５４ａの屈曲部分が、天井面５１ｆの屈曲部５１ｇを乗り越えると、軸ピン５５が軸受部５１ｃで軸支されて、可動接触子５２がクロスバー５１に取り付けられる（図７の（Ｄ）の状態）。この状態では、可動接触子５２は、軸受部５１ｃを中心に回動可能である。
【先行技術文献】
【特許文献】
【０００６】
【特許文献１】特開２００７−２６５８３０号公報
【発明の概要】
【発明が解決しようとする課題】
【０００７】
可動接触子５２をクロスバー５１に取り付けるには、前記したように、捲回バネ５４の当接部５４ａを可動接触子５２の閉方向に変形させつつ、可動接触子５２を出口側方向への移動させる必要があるが、軸ピン５５の導入スロープ５１ｅ上の位置が適切でなければ、当接部５４ａを変形させつつ、可動接触子５２を出口側方向へ移動させることができず、可動接触子５２のクロスバー５１への取付作業が困難であるという問題があった。
本発明は、上記問題を解決し、容易に可動接触子をクロスバーに取り付けることが可能な、回路遮断器のクロスバーと可動接触子の取付構造を提供することを目的とする。
【課題を解決するための手段】
【０００８】
上記課題を解決するためになされた請求項１に記載の発明は、
複数の保持孔が形成されたクロスバーと、
先端に可動接点が設けられた可動接触子と、
前記可動接触子の両側面から突出する軸ピンと、
前記軸ピンに巻き付けられる捲回バネとからなり、
前記軸ピンと前記捲回バネを組み付けた前記可動接触子を前記クロスバーに取り付ける回路遮断器のクロスバーと可動接触子の取付構造において、
前記クロスバーの前記保時孔の両側面には前記軸ピンを前記クロスバーの軸受部までガイドさせる導入スロープを形成し、
前記導入スロープに、段部を形成したことを特徴とする。
【０００９】
請求項２に記載の発明は、請求項１に記載の発明において、前記導入スロープの入口に位置決部を形成したことを特徴とする。
【発明の効果】
【００１０】
本発明によれば、導入スロープに、段部を形成したので、作業者が捲回バネの当接部を押圧しながら可動接触子を出口側に押し込むべき軸ピンの導入スロープ上の位置を容易に認識することができ、段部に軸ピンが当接するまでは、可動接触子及び捲回バネを押し込み、段部に軸ピンを当接した後は可動接触子のみ押し込みするだけでよいので、捲回バネ５４や可動接触子５２の組付け作業性が良くなり、容易に可動接触子をクロスバーに取り付けることが可能な、回路遮断器のクロスバーと可動接触子の取付構造を提供することが可能となる。
【図面の簡単な説明】
【００１１】
【図１】本発明のクロスバーと可動接触子の分解斜視図である。
【図２】本発明の導入スロープと、可動接触子のクロスバーへの取付手順を示した説明図である。
【図３】本発明の導入スロープと、可動接触子のクロスバーへの取付手順を示した説明図である。
【図４】第１位置決部及び第２位置決部の別例である。
【図５】クロスバーに可動接触子が取り付けられた状態の斜視図である。
【図６】従来のクロスバーと可動接触子の分解斜視図である。
【図７】図５のＡ−Ａ断面図である。
【図８】図５のＢ−Ｂ断面図である。
【発明を実施するための形態】
【００１２】
以下に図面を参照しつつ、本発明の好ましい実施の形態を示す。図１はクロスバー５１への可動接触子５２の取付構造について示したもので、図２は導入スロープ５１ｅとクロスバー５１への可動接触子５２の取付手順を示した断面図である。クロスバー５１は可動接触子５２の挿入側及び出口側に保持孔５１aを形成してあり、挿入側の保持孔５１ａの両側面には保持凹部５１ｂが凹陥形成されている。保持凹部５１ｂは、円形状に凹陥した軸受部５１ｃと、軸受部５１ｃから挿入側に拡開して開放した導入部５１ｄとから構成されている。導入部５１ｄの下端縁は、軸受部５１ｃから保持孔５１ａの挿入側に向かって徐々に下側に位置する導入スロープ５１ｅとなっている。
【００１３】
可動接触子５２は一端に可動接点５３が設けられ、他端側には軸ピン５５を取付可能に形成した孔部を形成しており、孔部に軸ピン５５が取り付けられ、可動接触子５５の両側面から突出している。軸ピン５５には、捲回バネ５４が巻き掛けられている。捲回バネ５４の一端側は、軸ピン５５から可動接点５３側に延出し、その先端が下側に屈曲されている当接部５４ａとなっている。捲回バネ５４の他端側は、軸ピン５５から可動接触子５２の基端側に延出する固定部５４ｂとなっていて、この固定部５４ｂが可動接触子５２の基部に引っ掛けられて固定されている。なお、ここで捲回バネ５４はクロスバー５１が回動し、可動接触子５５の可動接点５３と固定接点が接触した時、固定接点側への接点圧力を加えるために設けるものである。
【００１４】
可動接触子５２の両側面から突出させた軸ピン５５は、クロスバー５１の保持孔５１ａの両側面に形成した保持凹部５１ｂの導入スロープ５１ｅに導入させ、可動接触子５２を押込み、円形状に凹陥した軸受部５１ｃに軸支させるものである。また、導入スロープ５１ｅは軸ピン５５の位置を作業者に認識させる段差形状として位置決部５１ｈ、位置決部５１ｈの上方に段部５１ｉを形成してあるものである。導入スロープ５１ｅ上に段部５１ｉを形成することにより、可動接触子５２を組み付ける際に段部５１ｉに軸ピン５５が当接することにより作業者に軸ピン５５の位置を認識させ、軸ピン５５の位置により捲回バネ５４や可動接触子５２の押圧する位置・タイミングを認識でき、容易に可動接触子５２をクロスバー５１に取り付けることができるものである。
【００１５】
以下に、クロスバー５１の軸受部５１ｃへの可動接触子５２の導入方法について示す。なお、図２の（Ａ）〜（Ｄ）は、それぞれ図３の（Ａ）〜（Ｄ）と対応している。図２の（Ａ）に示されるように、本発明では、導入スロープ５１ｅに、挿入側から順に、位置決部５１ｈ、段部５１ｉが形成されている。本実施形態では、図３の（Ａ）に示されるように、位置決部５１ｈ及び段部５１ｉの挿入側は、それぞれ、図において水平な平坦部５１ｊ、５１ｋが形成され、位置決部５１ｈ及び段部５１ｉは、段差形状となっている。図３の（Ａ）に示されるように、保持孔５１ａの天井面５１ｆは、挿入側から所定距離進入した変節点５１ｍまでは水平面５１ｎとなっているが、変節点５１ｍから出口側は、出口側に進入するにつれて上方に位置する傾斜面５１ｐとなっている。そして、保持孔５１ａの出口部分の天井面５１ｆには、保持孔５１ａの出口側に向かって上方に屈曲する屈曲部５１ｇが形成されている。
【００１６】
まず、可動接触子５２をクロスバー５１の保持孔５１ａの挿入側から可動接触子５２の先端を挿入させて、可動接触子５２の先端を保持孔５１ａの出口側から突出させ、捲回バネ５４の当接部５４ａを可動接触子５２の閉方向に変形させながら、可動接触子５２を押し込み軸ピン５５を段部５１ｉまで移動させる（図３の（Ｃ）の状態）。この状態では、図３の（Ｃ）に示されるように、当接部５４ａの屈曲部が天井面５１ｆの変節点５１ｍを乗り越え、傾斜面５１ｐと当接している。なお、図２の（Ｂ）、図３の（Ｂ）は段部５１ｉに移動させる途中を示した図であるが、この状態では当接部５４ａは天井面５１ｆの水平面５１ｎと当接し、捲回バネ５４の付勢力により軸ピン５５が導入スロープ５１ｅ側に押圧される。この状態で可動接触子５２を押し出そうとすれば捲回バネ５４が破損する恐れがある。
【００１７】
軸ピン５５が段部５１ｉにある状態から、可動接触子５２のみを出口側に押し込む。図２や図３の（Ｃ）に示されるように、捲回バネ５４の当接部５４ａは出口側に進むにつれて上側に位置する傾斜面５１ｐと当接しているので、捲回バネ５４の付勢力による軸ピン５５が導入スロープ５１ｅ側に押圧される力が弱まり、捲回バネ５４を変形させることなく可動接触子５２のみを出口側に押し込むことができる。可動接触子５２を出口側に押し込むと、当接部５４ａが屈曲部５１ｇを乗り越え、軸ピン５５が軸受部５１ｃで受容される（図２、図３の（Ｄ）の状態）。この状態では、図３の（Ｄ）に示されているように、当接部５４ａが屈曲部５１ｇを乗り越えていることから、軸ピン５５の挿入側への移動が阻害されて、軸ピン５５が軸受部５１ｃで固定されクロスバー５１への可動接触子５２の取付が完了される。このように、導入スロープ５１ｅ上に段部５１ｉを形成することにより、可動接触子５２を組み付ける際に段部５１ｉに軸ピン５５が当接することにより作業者に軸ピン５５の位置を認識させ、軸ピン５５の位置により捲回バネ５４や可動接触子５２の押し込む位置・タイミングを認識でき、容易に可動接触子５２をクロスバー５１に取り付けることができるものである。
【００１８】
また、図２（Ａ）、図３（Ａ）に示すように、導入スロープ５１ｅ入口に位置決部５１ｈを設けるものであってよい。軸ピン５５が位置決部５１ｈに位置するまで、可動接触子５２のみを押込み保持孔５１ａの挿入側から挿入させる。これにより位置決部５１ｈまで可動接触子５２のみを押し込み、位置決部５１ｈに軸ピン５５を当接させた後に、捲回バネ５４と可動接触子５２を押し込む構造であり、可動接触子５２及び捲回バネ５４の押し込む位置・タイミングを容易に認識でき、更に作業性が向上させることができるものである。
【００１９】
以上説明したように、本発明では、導入スロープ５１ｅに、段部５１ｉを形成したので、作業者が捲回バネ５４の当接部５４ａを変形させながら可動接触子５２を出口側に押し込み、段部５１ｉに軸ピン５５が当接した後に可動接触子５２のみを軸受部５１ｃまで押し込むものであり、可動接触子５２及び捲回バネ５４を押し込むべき軸ピン５５の導入スロープ５１ｅ上の位置を容易に認識することができ、可動接触子５２のクロスバー５１への取付作業が容易となる。更に、段部５１iの下方となる導入スロープ５１ｅの入口に位置決部５１ｈを形成することにより、位置決部５１ｈに軸ピン５５が当接するまでは可動接触子５２のみを押し込み保持孔５１ａの挿入側から可動接触子５２の先端を挿入させ、位置決部５１ｈに軸ピン５５が当接した後に、段部５１ｉに軸ピン５５が当接するまで捲回バネ５４の当接部５４ａを変形させながら可動接触子５２を出口側に押し込む構造であり、可動接触子５２及び捲回バネ５４の押し込む位置・タイミングを容易に認識でき、更に作業性が向上させることができるものである。
【００２０】
以上説明した実施形態では、位置決部５１ｈ及び段部５１ｉは、段差形状であるが、図４の（Ａ）に示されるように、位置決部５１ｈや段部５１ｉは、導入スロープ５１ｅに形成された凹部形状のものであっても差し支え無い。或いは、図４の（Ｂ）に示されるように、位置決部５１ｈ及び段部５１ｉは、導入スロープ５１ｅに形成された突起状のものであっても差し支え無い。このような位置決部５１ｈ及び段部５１ｉであっても、作業者は、当接部５４ａを変形させながら可動接触子５２を出口側に移動させる軸ピン５５の導入スロープ５１ｃ上の適切な位置や、可動接触子５２を出口側に押し込む軸ピン５５の導入スロープ５１ｃ上の適切な位置を認識することができる。
【００２１】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う回路遮断器のクロスバーと可動接触子の取付構造もまた技術的範囲に包含されるものとして理解されなければならない。
【符号の説明】
【００２２】
５１    クロスバー
５１ａ  保持孔
５１ｂ  保持凹部
５１ｃ  軸受部
５１ｄ  導入部
５１ｅ  導入スロープ
５１ｆ  天井面
５１ｇ  屈曲部
５１ｈ  位置決部
５１ｉ  段部
５１ｊ  平坦部
５１ｋ  平坦部
５１ｍ  変節点
５１ｎ  水平面
５１ｐ  傾斜面
５２    可動接触子
５３    可動接点
５４    捲回バネ
５４ａ  当接部
５４ｂ  固定部
５５    軸ピン
【図１】
0005517902.tif 000002
【図２】
0005517902.tif 000003
【図３】
0005517902.tif 000004
【図４】
0005517902.tif 000005
【図５】
0005517902.tif 000006
【図６】
0005517902.tif 000007
【図７】
0005517902.tif 000008
【図８】
0005517902.tif 000009